(57)【要約】【課題】従来のガソリン車から集約した燃費情報に基づいて作成されたデータベースをそのまま利用すると、新たなタイプの車両に対しては適切な経路案内を実現することができない恐れがあった。【解決手段】本発明のルート探索装置は、駆動源にモータを使用するタイプの車両から回生電力量に関する情報を取得する取得部と、取得部で取得した回生電力量に関する情報を地図情報に対応付けて記憶する記憶手段と、記憶手段に記憶された回生電力量に基いてルートを探索するルート探索手段と、を備えたことを特徴とする。【選択図】図３
2012083178.tif 000002
【特許請求の範囲】
【請求項１】
駆動源にモータを使用するタイプの車両から回生電力量に関する情報を取得する取得部と、
前記取得部で取得した回生電力量に関する情報を地図情報に対応付けて記憶する記憶手段と、
前記記憶手段に記憶された回生電力量に基いてルートを探索するルート探索手段と、を備えたルート探索装置。
【請求項２】
駆動源にモータを使用するタイプの複数の車両から送信される回生電力量に関する情報を受信する受信部と、
前記受信部で受信された回生電力量に関する情報を地図データに対応付けて記憶する記憶手段と、
前記記憶手段に記憶された回生電力量に基いてルートを探索するルート探索手段と、
前記ルート探索手段で探索されたルートを車両に配信する配信手段と、を備えたルート探索装置。
【請求項３】
前記受信部は、さらに、駆動源にモータを使用しないタイプの複数の車両から送信される燃料消費量に関する情報を受信し、
前記記憶手段は、前記受信部で受信された回生電力量及び燃料消費量に関する情報を地図データに対応付けて記憶し、
前記ルート探索手段は、前記記憶手段に記憶された回生電力量、燃料消費量に基いて、車両の電力消費量が最小となるルート、燃料消費量が最小となるルートを車両のタイプ別に探索し、
前記配信手段は、前記ルート探索手段でタイプ別に探索されたルートを、各タイプの車両に配信する請求項２に記載のルート探索装置。
【請求項４】
駆動源にモータを使用するタイプの車両タイプ情報と、回生電力量に関する情報とを取得する取得手段と、
該取得手段で取得した車両タイプ情報と回生電力量に関する情報を送信する送信手段と、を備えた車両側装置。
【請求項５】
駆動源にモータを使用するタイプの車両から送信される回生電力量に関する情報を取得する取得ステップと、
前記取得部で取得した回生電力量に関する情報を地図データの走行リンクに対応付けて記憶する記憶ステップと、
前記記憶手段に記憶された回生電力量に基いて、車両の電力消費量が最小となるルートを探索するルート探索ステップと、を備えたルート探索方法。
【発明の詳細な説明】
【技術分野】
【０００１】
本発明は、プローブデータを用いたルート探索装置に関する。
【背景技術】
【０００２】
一般的な、ガソリンを燃焼させて走行するガソリン車を対象として、複数の車両から集約された走行時の燃費情報を利用して経路案内を行う方法が知られている（例えば、特許文献１）。
【０００３】
図１は従来の燃費情報処理システムの構成図を示す。複数の車両１０１〜１０３から送られた燃費情報は、通信装置１５０を介してサーバ３０００に集約され、燃費情報管理装置１１０で統計処理された後、データ保存装置１２０に記憶される。燃費情報は配信装置１４０及び通信装置１５０を介して、車載装置２０００の燃費情報提示装置１００に送られ、ユーザがこれを視認しエコなルートであるか否かを確認することができるというものである。
【０００４】
従来の燃費情報処理システムは、あくまでガソリン車から燃費情報を集約しガソリン車向けに燃費情報を提供するものである。今後、プラグインハイブリッド車（ＰＨＶ車）や電気自動車（ＥＶ車）等、従来のガソリン車とは異なる新たなタイプの車両が普及することが予想されるが、これらの新たなタイプの車両はガソリン車とは動力系統の仕組みが大きく異なっている。例えば、これらの新たなタイプの車両には、車両が停止しているときに、回転機構が停止したり、ブレーキをかける際に生じるエネルギーを回生したりする仕組みが備わっている。
【０００５】
ここで、「エコ」という用語は「エコロジー」の意味を含むことは勿論であるが、実際のユーザの車両の経路案内の使用態様を考えた場合、「エコノミー」の要素も重要視されていると考えられる。エコロジーの観点から経路を選択して車両を運転し、二酸化炭素排出量の削減に大きく貢献したとしても、その代償として大きな費用が生じたとすれば、ユーザはそのようなエコロジーな経路選択をしなくなるはずである。従って、エコロジーの側面のみに着目し、エコノミーの面を無視してしまうと、結果としてエコロジーの側面もないがしろにされる恐れがある。そのため、エコロジーの観点で経路案内を行うことを前提として、エコノミーの観点からユーザを惹きつけ、結果として環境にやさしい経路選択が推進されることが望ましいといえる。
【先行技術文献】
【特許文献】
【０００６】
【特許文献１】特開２００９−１２８０６５
【発明の概要】
【発明が解決しようとする課題】
【０００７】
従来のガソリン車から集約した燃費情報に基づいてエコルートの案内をすると、新たなタイプの車両に対しては適切な経路案内を実現することができない恐れがあった。
【０００８】
即ち、ガソリン車だけでなくＰＨＶ車や、ＥＶ車等の新たなタイプの車両に対して最適な経路案内を行うためには、ＰＨＶ車や、ＥＶ車等に特有な電力等の使用エネルギーをより低減することが可能なエコなルートを選択するエコルート探索装置が必要であるが、従来のガソリン車のみを対象としたエコルートではこのような要求に答えることが難しかった。
さらに、プローブ情報を利用してエコルートを探索する場合に、従来のガソリン車の燃料消費量に関するデータベースでは、必要な情報が異なり、そのままでは利用できないという問題があった。
さらに、従来のガソリン車とＰＨＶ車や、ＥＶ車等の新たなタイプの車両とが混在する現状において、各タイプ別に情報を蓄積して、それぞれ最適なエコルートを案内する必要があるが、このような課題について従来のエコルート案内装置では対応できないという問題があった。
【０００９】
本発明は、駆動源にモータを使用するタイプの車両から送信される回生電力量に関する情報を取得して、駆動源にモータを使用するタイプの車両に対して適切なエコルート探索を行うエコルート探索装置を提供することを目的とする。さらに、モータ以外の駆動源を使用するガソリン車等とモータを駆動源として使用するタイプの車両が混在する場合でも、それぞれ最適なエコルートを提供することができるエコルート探索装置を提供することを目的とする。
【課題を解決するための手段】
【００１０】
本発明のルート探索装置は、駆動源にモータを使用するタイプの車両から回生電力量に関する情報を取得する取得部と、取得部で取得した回生電力量に関する情報を地図情報に対応付けて記憶する記憶手段と、記憶手段に記憶された回生電力量に基いてルートを探索するルート探索手段と、を備えたことを特徴とする。
【００１１】
本発明のルート探索装置は、駆動源にモータを使用するタイプの複数の車両から送信される回生電力量に関する情報を受信する受信部と、受信部で受信された回生電力量に関する情報を地図データに対応付けて記憶する記憶手段と、記憶手段に記憶された回生電力量に基いてルートを探索するルート探索手段と、ルート探索手段で探索されたルートを車両に配信する配信手段と、を備えたことを特徴とする。
【００１２】
本発明の車両側装置は、駆動源にモータを使用するタイプの車両タイプ情報と、回生電力量に関する情報とを取得する取得手段と、該取得手段で取得した車両タイプ情報と回生電力量に関する情報を送信する送信手段と、を備えたことを特徴とする。
【００１３】
本発明のルート探索方法は、駆動源にモータを使用するタイプの車両から送信される回生電力量に関する情報を取得する取得ステップと、取得部で取得した回生電力量に関する情報を地図データの走行リンクに対応付けて記憶する記憶ステップと、記憶手段に記憶された回生電力量に基いて、車両の電力消費量が最小となるルートを探索するルート探索ステップと、を備えたことを特徴とする。
【発明の効果】
【００１４】
本発明のプローブデータを用いたエコルート探索装置によれば、駆動源としてモータを使用する車両に対して、該車両に特有の要素（回生電力）を考慮してエコルートを案内することができ、さらに、車両のタイプに応じて適切なエコルートを探索することができるエコルート探索装置を提供することができる。
【図面の簡単な説明】
【００１５】
【図１】従来の燃費情報処理システムの構成図である。
【図２】本発明の実施例１のルート探索装置の構成図である。
【図３】本発明の実施例１のルート探索方法を説明するためのフローチャートである。
【図４】本発明の実施例１における回生電力量に関する情報を地図情報に対応付けて記憶するデータの構成例である。
【図５】本発明の実施例１のルート探索結果を示す一覧表である。
【図６】本発明の実施例２のルート探索装置の構成図である。
【図７】本発明の実施例３のルート探索装置の構成図である。
【図８】本発明の実施例４のルート探索方法を説明するためのフローチャートである。
【図９】本発明の実施例４のルート探索装置の記憶手段に記憶されるデータの構成例である。
【図１０】本発明の実施例４のルート探索結果の一覧表である。
【発明を実施するための形態】
【００１６】
以下、図面を参照して、本発明に係るルート探索装置、ルート探索方法、車両側装置について説明する。ただし、本発明の技術的範囲はそれらの実施の形態には限定されず、特許請求の範囲に記載された発明とその均等物に及ぶ点に留意されたい。
【実施例１】
【００１７】
図２に本発明の実施例１に係るルート探索装置の構成図を示す。実施例１に係るルート探索装置においては、車両１１〜１３の車載端末とセンターサーバ１とが連携してルート探索を行う。本発明のルート探索装置であるセンターサーバ１は、取得部２と、記憶手段３と、ルート探索手段４と、地図情報記憶部５とを有する。
【００１８】
取得部２は、駆動源にモータを使用するタイプの車両Ａ〜Ｃ（１１〜１３）に搭載された車両側装置である取得手段１１１、１２１、１３１及び送信手段１１２、１２２、１３２を介して回生電力に関する情報を取得する。車両側装置の取得手段１１１、１２１、１３１は、駆動源にモータを使用するタイプの車両タイプ情報と、回生電力量に関する情報とを取得する。車両側装置の送信手段１１２、１２２、１３２は取得手段で取得した車両タイプ情報と回生電力量に関する情報をセンターサーバ１に送信する。ここで、駆動源にモータを使用するタイプの車両の例として、ハイブリッド車、プラグインハイブリッド車、電気自動車等が挙げられる。また、回生電力に関する情報とは、車両がある特定の区間を走行した際に得られた回生電力量の情報をいう。
【００１９】
記憶手段３は、取得部２で取得した回生電力量に関する情報を地図情報に対応付けて記憶する。ここで、地図情報は地図情報記憶部５内に記憶された車両が走行するためのリンクに関する情報を含む。
【００２０】
ルート探索手段４は、記憶手段５に記憶された回生電力量に基づいてルートを探索する。ルート探索は、車両の出発地点と目的地点とを結ぶ複数のルートのうち、回生電力量を考慮して電力消費量または燃料消費量が最低となるルートを選択する。
【００２１】
次に、本発明の実施例１のルート探索方法について図面を参照して説明する。図３は、本発明の実施例１のルート探索方法を説明するためのフローチャートである。まず、ステップＳ１０１において、駆動源にモータを使用するタイプの車両から送信される回生電力量に関する情報を取得する。具体的には、車両側装置である取得手段１１１、１２１、１３１及び送信手段１１２、１２２、１３２によって車両から送信される回生電力量に関する情報を取得する。
【００２２】
次に、ステップＳ１０２において、取得部２で取得した回生電力量に関する情報を地図データの走行リンクに対応付けて記憶する。回生電力量に関する情報を地図情報に対応付けて記憶するデータの一例を図４に示す。このデータには、リンクＩＤ２１、進行方向２２、回生電力量２３の各データが含まれる。リンクＩＤは車両が走行するリンクに固有の番号であり、車両に搭載されたＧＰＳ装置によって取得された位置データと、ルート探索装置であるセンターサーバ１内の地図情報記憶部５に記憶された地図情報とを対応させることによって、車両が走行したリンクを特定することができる。道路は通常上り方向と下り方向の車線を含むため各リンクを進行方向によって分類している。回生電力量は道路の勾配によって大きく異なるため、進行方向ごとに分類して記憶する。車両が走行したリンクと回生電力量とを対応付けて記憶装置３に記憶することにより、車両が走行する経路に含まれるリンクを特定することにより、その経路を走行する場合の回生電力量を推定することができる。
【００２３】
図４においては、３つのリンクのみについてデータを記憶する例を示しているが、実際には車両が走行した複数のリンクについてのデータが記憶手段３に記憶される。また、センターサーバ１は、複数の車両から回生電力量等の情報を受信するため、特定のリンクについて複数のデータを受信する場合も想定される。そのような場合には、複数のデータについて平均化されたデータを記憶手段３に記憶するようにしてもよい。
【００２４】
次に、ステップＳ１０３において、記憶手段に記憶された回生電力量に基づいて、車両の電力消費量が最小となるルートを探索する。図５に、本発明の実施例１のルート探索方法によって得られたルート探索結果の一覧表を示す。ルート探索装置が比較するデータの一例として、複数のルート３１、各ルートを走行する際に得られる回生電力量３２、各ルートを走行する場合に必要とされる電力（電費×距離）３３、回生電力量を考慮して求められる電力消費量３４が挙げられる。電力消費量３４は、電費×距離３３から回生電力量３２を減算した値である。図５に示した例では、ルートＡ〜Ｄのうち、電力消費量３４が最小となるルートＣを最適なルートとして選択する。このようにして、回生電力量を考慮してルート探索を行うことによって、駆動源にモータを使用するタイプの車両について、最適なルートを探索することができる。
【実施例２】
【００２５】
図６に本発明の実施例２に係るルート探索装置の構成図を示す。実施例２に係るルート探索装置においては、車両の車載端末はセンターサーバとは連携せずに車両内で回生電力量に関する情報を受信してルート探索し、車載端末に表示する点を特徴としている。本発明のルート探索装置である車両側装置１０は、車両側取得部２１と、車両側記憶手段３１と、車両側ルート探索手段４１と、車両側地図情報記憶部５１と、表示部６１とを有する。
【００２６】
車両側取得部２１は、駆動源にモータを使用するタイプの車両タイプ情報と、回生電力量に関する情報とを取得する。
【００２７】
車両側記憶手段３１は、車両側取得部２１で取得した回生電力量に関する情報を地図情報に対応付けて記憶する。ここで、地図情報は車両側地図情報記憶部５１内に記憶された車両が走行するためのリンクに関する情報を含む。本実施例においては、車両がセンターサーバとはデータの送受信を行わずに、車両自身が回生電力量に関するデータを車両側記憶手段に記憶する。ただし、他の車両からのデータに基づいてセンターサーバで蓄積された回生電力量に関するデータを予め車両側記憶手段に転送するようにしておいてもよい。
【００２８】
車両側ルート探索手段４１は、車両側記憶手段５１に記憶された回生電力量に基づいてルートを探索する。ルート探索は、車両の出発地点と目的地点とを結ぶ複数のルートのうち、回生電力量を考慮して電力消費量または燃料消費量が最低となるルートを選択する。具体的なルート探索方法は実施例１で説明したルート探索方法と同様であるので詳細な説明は省略する。
【００２９】
表示部６１は、車両側ルート探索手段４１が決定したルートを地図情報と共に表示する。表示部６１には、液晶表示装置や有機ＥＬ表示装置等を用いることができる。
【００３０】
実施例２のルート探索装置によれば、車両側装置がセンターサーバと連携せずにルート探索を行うことができるので、センターサーバとのデータの送受信を行うことなく車両側装置のみでルート探索を行うことができる。
【実施例３】
【００３１】
図７に本発明の実施例３に係るルート探索装置の構成図を示す。実施例３のルート探索装置はルート探索結果を車両側に送信するための配信手段を備えている点を特徴としている。実施例３に係るルート探索装置においては、車両Ａ〜Ｃ（１１〜１３）の車載端末とセンターサーバ１とが連携してルート探索を行う。本発明のルート探索装置であるセンターサーバ１は、受信部６と、記憶手段３と、ルート探索手段４と、地図情報記憶部５と、配信手段とを有する。
【００３２】
受信部６は、駆動源にモータを使用するタイプの車両Ａ〜Ｃ（１１〜１３）に搭載された車両側装置に含まれる取得手段１１１、１２１、１３１及び送信手段１１２、１２２、１３２を介して回生電力量に関する情報を受信する。車両側装置の取得手段１１１、１２１、１３１は、駆動源にモータを使用するタイプの車両タイプ情報と、回生電力量に関する情報とを取得する。車両側装置の送信手段１１２、１２２、１３２は取得手段１１１、１２１、１３１で取得した車両タイプ情報と回生電力量に関する情報をセンターサーバ１に送信する。
【００３３】
記憶手段３は、受信部６で受信された回生電力量に関する情報を地図データに対応付けて記憶する。ここで、地図情報は、実施例１と同様に、地図情報記憶部５内に記憶された、車両が走行するリンクに関する情報を含む。
【００３４】
ルート探索手段４は、記憶手段５に記憶された回生電力量に基いてルートを探索する。ルート探索は、実施例１と同様に、車両の出発地点と目的地点とを結ぶ複数のルートのうち、回生電力量を考慮して電力消費量または燃料消費量が最低となるルートを選択する。
【００３５】
配信手段７は、ルート探索手段４で探索されたルートを車両Ａ〜Ｃ（１１〜１３）に配信する。配信されたルートに関する情報は、車両Ａ〜Ｃ（１１〜１３）の取得手段１１１、１２１、１３１で取得され、この情報に基づいて車両に搭載された表示部（図示せず）に地図情報と共にルートが表示される。
【００３６】
実施例３のルート探索装置によれば、ルート探索をセンターサーバで実行し、個々の車両ではルート探索を行う必要がないため、車両がルート探索装置を搭載していなくても適切なルート探索を行うことができる。実施例３のルート探索装置によるルート探索方法は、ルートに関する情報を車両に配信する点を除いて、実施例１のルート探索方法と同様であるため、詳細な説明は省略する。
【実施例４】
【００３７】
次に、本発明の実施例４に係るルート探索装置及びルート探索方法について図面を参照して説明する。実施例４に係るルート探索装置の構成は実施例３と同様である。図８は、本発明の実施例４のルート探索方法を説明するためのフローチャートである。実施例４のルート探索方法は、実施例１のルート探索方法とは異なり、駆動源にモータを使用するタイプの車両だけでなく、駆動源にモータを使用しないタイプの車両も対象にしてルート探索を行っている。
【００３８】
まず、ステップＳ２０１において、センターサーバ１の受信部６が、駆動源にモータを使用するタイプの車両から送信される回生電力量に関する情報を受信するとともに、駆動源にモータを使用しないタイプの複数の車両から送信される燃料消費量に関する情報を受信する。具体的には、駆動源にモータを使用するタイプの車両からは、車両側装置である取得手段及び送信手段によって、車両から送信される回生電力量に関する情報、例えば車両が走行しているリンクにおける回生電力量に関する情報を受信する。一方、駆動源にモータを使用しないタイプの複数の車両からは、車両側装置である取得手段及び送信手段によって、車両が走行しているリンクにおける燃料消費量に関する情報を受信する。
【００３９】
次に、ステップＳ２０２において、記憶手段３が、受信部６で受信された回生電力量及び燃料消費量に関する情報を地図データに対応付けて記憶する。図９に、本発明の実施例４のルート探索装置の記憶手段に記憶されるデータの一例を示す。このデータは、リンクＩＤ４１、車両タイプ４２、進行方向４３、回生電力量４４、燃費４５、電費４６に関する各情報を含む。リンクＩＤ４１、車両タイプ４２、進行方向４３、回生電力量４４に関するデータの内容は実施例１のルート探索装置におけるデータと同様であるので詳細な説明は省略する。燃費４５は、ガソリンを駆動源に供給して駆動源を駆動するタイプの車両が特定のリンクを走行する際に消費する単位距離あたりの燃料消費量である。電費４６は、電力を駆動源に供給して駆動源を駆動するタイプの車両が、特定のリンクを走行する際に消費する単位距離あたりの電力消費量である。図９に示した例では、モータを使用する車両は、回生機構を備え、走行時に電力を主に消費しているので電気自動車が相当する。一方、モータを使用しない車両は、回生機構を有さず、走行時に燃料を主に消費しているのでガソリン車が相当する。
【００４０】
図９においては、２つのリンクのみについてデータを記憶する例を示しているが、実際には車両が走行した複数のリンクについてのデータが記憶手段３に記憶される。また、センターサーバ１は、複数の車両から回生電力量等の情報を受信するため、特定のリンクについて複数のデータを受信する場合も想定される。そのような場合には、複数のデータについて平均化されたデータを記憶手段３に記憶するようにしてもよい。
【００４１】
次に、ステップＳ２０３において、ルート探索手段４は、記憶手段３に記憶された回生電力量、燃料消費量に基いて、車両の電力消費量が最小となるルート、燃料消費量が最小となるルートを車両のタイプ別に探索する。ここで、車両のタイプは、駆動源にモータを使用するか否かで分類することができる。駆動源にモータを使用する車両のタイプの場合には、実施例１と同様に、回生電力量に基づいて、車両の電力消費量が最小となるルートを探索する。一方、駆動源にモータを使用しない車両のタイプの場合には、燃料消費量に基いて、車両の燃料消費量が最小となるルートを探索する。この場合のルート探索結果の例を図１０に示す。ルート探索に用いられるデータは、ルート５１、回生電力量５２、燃料消費量５３である。ここで、駆動源にモータを使用しない車両は回生機構を有していない場合を例示している。従って、回生電力量は０であり、燃料消費量のみから最適なルートを探索する。ただし、ハイブリッド車のように、駆動源にモータを使用しないタイプの車両であっても回生機構を備えている場合には回生電力量も考慮して最適なルートを探索するようにしてもよい。
【００４２】
次に、ステップＳ２０４において、配信手段７が、ルート探索手段４でタイプ別に探索されたルートを、各タイプの車両に配信する。即ち、駆動源にモータを使用する車両に対しては、回生電力量に基づいて探索した車両の電力消費量が最小となるルートを配信する。一方、駆動源にモータを使用しない車両に対しては、燃料消費量に基いて、燃料消費量が最小となるルート配信する。本実施例によれば、駆動源にモータを使用する車両及び駆動源にモータを使用しない車両のそれぞれのタイプの車両に対して最適なルートを探索し、配信することができる。
【符号の説明】
【００４３】
１    センターサーバ
２    取得部
３    記憶手段
４    ルート探索手段
５    地図情報記憶部
６    受信部
７    配信手段
８    天候情報受信部
１０    車両側装置
２１    取得部
３１    車両側記憶手段
４１    車両側ルート探索手段
５１    車両側地図情報記憶部
６１    表示部
１１〜１３    車両
【図１】
2012083178.tif 000003
【図２】
2012083178.tif 000004
【図３】
2012083178.tif 000005
【図４】
2012083178.tif 000006
【図５】
2012083178.tif 000007
【図６】
2012083178.tif 000008
【図７】
2012083178.tif 000009
【図８】
2012083178.tif 000010
【図９】
2012083178.tif 000011
【図１０】
2012083178.tif 000012